(57)【特許請求の範囲】
【請求項１】
植物を植栽し、河川や湖沼などの水域に浮游状態で設置する植生浮島において、
木材が連結されてなる枠体と、
廃タイヤと、
前記枠体と前記廃タイヤとを一体化する発泡浮力体と、
前記発泡浮力体上方に充填された植栽基盤と、
前記木材の一端に取り付けられた状態で前記植栽基板を覆う金網と、
からなることを特徴とする植生浮島。
【請求項２】
前記金網がステンレス材料により構成されたことを特徴とする請求項１に記載の植生浮島。
【請求項３】
前記金網の網目の長さが１０ｍｍ以下であることを特徴とする請求項１又は請求項２に記載の植生浮島。
【請求項４】
前記金網が複数枚重ねられたことを特徴とする請求項１乃至請求項３のいずれかに記載の植生浮島。
【請求項５】
前記金網の上には押さえネットが載置されたことを特徴とする請求項１乃至請求項４のいずれかに記載の植生浮島。
【請求項６】
前記金網の上には押さえマットが載置されたことを特徴とする請求項１乃至請求項５のいずれかに記載の植生浮島。
【請求項７】
前記押さえマットの上には表層ネットが載置されたことを特徴とする請求項６のいずれかに記載の植生浮島。
【請求項８】
前記植栽基盤の最表層には熱融着培土が用いられたことを特徴とする請求項１乃至請求項７のいずれかに記載の植生浮島。
【発明の詳細な説明】
【技術分野】
【０００１】
本発明は、水辺における修景、などに利用される植生浮島に関する。
【背景技術】
【０００２】
従来、湖沼  河川、ダム等の水域において、生物生息空間の創造、水質浄化、修景といった自然環境の保全や修復を図るために植生浮島が利用されてきた。このような植生浮島は、概略、浮力を有する構造体と、土壌などからなる植栽基盤部などで構成されるものが多い。このような植生浮島における植栽基盤に、例えばヨシなどを植生し水辺に、係留することで、水辺の快適性や生物多様性の増加、修景または水質浄化などを行うことが可能となる。
【０００３】
上記のような植生浮島としては、例えば、特許文献１（特開平８−７２７８７号公報）には、条材で組立てた任意外形の枠体にフロートを取付け、枠体を水面下に保持するとともに、枠体およびフロートの上に積層した植栽基盤材を水面上に保持したことを特徴とする植生浮島が開示されている。
【特許文献１】特開２００３−３５７０３号公報
【発明の概要】
【発明が解決しようとする課題】
【０００４】
しかしながら、従来の植生浮島においては、ネズミやヌートリアなどの動物にその植栽基盤が破壊されたり、また、これらの動物により植栽されている植物が食害にあったりするなどの問題があった。また、従来の植生浮島では、植栽基盤内にネズミなどが巣を作る、という問題もあった。
【０００５】
上記のような問題のために、動物の嫌がる臭いをもった忌避剤を撒いたり、音波などにより侵入を防ぐ試みなどがなされたりしているが、もともと効果がないか、効果が持続しなかった。
【０００６】
また、植生浮島に植栽した植物は、植生浮島の植栽基盤が薄い場合が多いので、植物を根で保持することが難しく、波や風で植物が抜け落ちやすい、という問題もあった。
【課題を解決するための手段】
【０００７】
この発明は、上記課題を解決するものであって、請求項１に係る発明は、植物を植栽し、河川や湖沼などの水域に浮游状態で設置する植生浮島において、木材が連結されてなる枠体と、廃タイヤと、前記枠体と前記廃タイヤとを一体化する発泡浮力体と、前記発泡浮力体上方に充填された植栽基盤と、前記木材の一端に取り付けられた状態で前記植栽基板を覆う金網と、からなることを特徴とする。
【０００８】
また、請求項２に係る発明は、請求項１に記載の植生浮島において、前記金網がステンレス材料により構成されたことを特徴とする。
【０００９】
また、請求項３に係る発明は、請求項１又は請求項２に記載の植生浮島において、前記金網の網目の長さが１０ｍｍ以下であることを特徴とする。
【００１０】
また、請求項４に係る発明は、請求項１乃至請求項３のいずれかに記載の植生浮島において、前記金網が複数枚重ねられたことを特徴とする。
【００１１】
また、請求項５に係る発明は、請求項１乃至請求項４のいずれかに記載の植生浮島において、前記金網の上には押さえネットが載置されたことを特徴とする。
【００１２】
また、請求項６に係る発明は、請求項１乃至請求項５のいずれかに記載の植生浮島において、前記金網の上には押さえマットが載置されたことを特徴とする。
【００１３】
また、請求項７に係る発明は、請求項６のいずれかに記載の植生浮島において、前記押さえマットの上には表層ネットが載置されたことを特徴とする。
【００１４】
また、請求項８に係る発明は、請求項１乃至請求項７のいずれかに記載の植生浮島において、前記植栽基盤の最表層には熱融着培土が用いられたことを特徴とする。
【発明の効果】
【００１５】
本発明に係る植生浮島は、植栽基盤が金網によって覆われているために、ネズミやヌートリアなどの動物の頭の部分が、植栽基盤に入らないようにブロックすることが可能となる。このため、このような本発明に係る植生浮島によれば、動物により、植栽基盤が破壊されたり、また、植栽されている植物が食害にあったり、或いは、植栽基盤内に巣などを作られたりすることを防止できる。
【００１６】
また、本発明に係る植生浮島は、植栽基盤が金網によって覆われた構造であるために、本発明に係る植生浮島によれば、植栽された植物の抜け落ちを抑制することが可能となる。
【図面の簡単な説明】
【００１７】
【図１】本発明の実施形態に係る植生浮島の製造工程を説明する斜視図である。
【図２】本発明の実施形態に係る植生浮島の製造工程を説明する断面図である。
【図３】本発明の実施形態に係る植生浮島の製造工程を説明する斜視図である。
【図４】本発明の実施形態に係る植生浮島の製造工程を説明する斜視図である。
【図５】本発明の実施形態に係る植生浮島で用いられる金網の寸法を説明する図である。
【図６】本発明の実施形態に係る植生浮島の製造工程を説明する斜視図である。
【図７】本発明の実施形態に係る植生浮島の製造工程を説明する断面図である。
【図８】本発明の実施形態に係る植生浮島の製造工程を説明する斜視図である。
【図９】本発明の実施形態に係る植生浮島５０を示す斜視図である。
【図１０】本発明の実施形態に係る植生浮島５０を示す断面図である。
【図１１】本発明の実施形態に係る植生浮島５０に植物を植栽した様子を示す図である。
【図１２】本発明の実施形態に係る植生浮島５０に植物を植栽し、河川や湖沼などの水域に浮游状態で設置された状態を示す断面図である。
【図１３】本発明の他の実施形態に係る植生浮島５０を示す図である。
【発明を実施するための形態】
【００１８】
以下、本発明の実施の形態を図面を参照しつつ説明する。図１は本発明の実施形態に係る植生浮島の製造工程を説明する斜視図であり、図２は本発明の実施形態に係る植生浮島の製造工程を説明する断面図である。図２は、図１の線Ｘ−Ｘ’を含む垂直面によって植生浮島をきったところをみた断面である。以下の図面においても、断面図はこの視点が用いられている。
【００１９】
枠体１０は、例えば、４枚の木材を連結させて製作されたものであり、天面と下面とが抜かれた構造となっている。１１は廃タイヤであり、この廃タイヤ１１の内部には、発泡ポリウレタン樹脂製の発泡浮力体１６が充填されている。また、廃タイヤ１１と枠体１０
との間にも、同じく発泡ポリウレタン樹脂製の発泡浮力体１７が充填されており、発泡浮力体１６及び発泡浮力体１７の双方により植生浮島が水面で浮くために必要な浮力を稼がれる。
【００２０】
廃タイヤ１１と枠体１０との間に充填される発泡浮力体１７は、廃タイヤ１１と枠体１０とを一体化する役割も果たしている。
【００２１】
廃タイヤ１１の下側にはバスケット１４がはめ込まれている。バスケット１４は、所定深さを有し、上部の直径に比べ下部の直径がわずかに小さい略筒状をなす深底形状の篭状体である。このバスケット１４は、例えば、ポリエチレン樹脂成形品から構成することができる。
【００２２】
バスケット１４と廃タイヤ１１の下面全体を覆うように、植生浮島の下面には、被覆ネット１９が張設されている。この被覆ネット１９には、バスケット１４内に収容される植栽基盤が十分保持できるような強度と目開きで粗織りしたポリエチレン樹脂繊維織布ネットを使用することができる。この被覆ネット１９の端部は、図２に示すように、廃タイヤ１１と枠体１０との間に充填される発泡浮力体１７の中に埋設するようにして定着されている。
【００２３】
図３に示すように、枠体１０を構成する４枚の木材の上部に対し、それぞれ４枚の表層ネット２０ａ、２０ｂ、２０ｃ、２０ｄが取り付けられる。表層ネット２０としてはヤシネットを用いることができ、一枚の表層ネット２０は、枠体１０の上部開口を略覆うことができる程度の広さとされる。この表層ネット２０は、植生浮島の完成時、その上部を覆うようにされるものであり、これにより植生浮島の景観的な不具合を抑えることができる。
【００２４】
次に、図４に示すように、枠体１０を構成する４枚の木材の上部に対し、それぞれ４枚の金網２５ａ、２５ｂ、２５ｃ、２５ｄが取り付けられる。一枚の金網２５は、枠体１０の上部開口を略覆うことができる程度の広さとされる。図５は本発明の実施形態に係る植生浮島で用いられる金網２５の寸法を説明する図である。図５におけるａ，ｂは金網２５の網目の長さである。本実施形態に係る植生浮島で用いる金網２５の網目の長さ（ａ，ｂ）は１０ｍｍ以下とすることが好ましい。植生浮島の完成時、金網２５は植栽基盤を覆うようにされるが、ネズミやヌートリアなどの動物の頭の部分が、植栽基盤に入らないようにブロックするために適切な、金網２５の網目の長さが１０ｍｍ以下であるからである。また、金網２５を構成する材料としては、腐食を防ぐためにステンレス材料によるものであることが好ましい。
【００２５】
次に、図６及び図７に示すように、バスケット１４、廃タイヤ１１の孔部、枠体１０の内部に植栽基盤を充填する。植栽基盤としては、バスケット１４の底部から廃タイヤ１１の上部に相当する部分までにはパーライト３１を充填し、さらにその上にメサライト３２を充填し、メサライト３２の上部に熱融着培土３３を充填する。熱融着培土３３は、土壌とパーライトなどの無機質発泡体（発泡体）と熱融着性繊維を混合し熱処理によって固形化して形成されている。
【００２６】
すなわち、熱融着培土３３は、熱処理によって熱融着性繊維同士が接着したり、繊維と発泡体、繊維と土壌が接着することで三次元の網状構造が形成され、これにより、土壌が保持されるとともに固形化した形状が好適に保持される。そして、このように固形化した状態の熱融着培土３３は、植生浮島を水域に設置した場合においても、土壌が外部に流出するようなことがなく、その形状が長期にわたって保持される程度の強度特性を備えて形成されている。また、このような熱融着培土３３は、無機質発泡体の単位体積当りの重量
が例えば０．５ｋｇ／リットル以下とされ、この無機質発泡体が混在することによって、軽量化が図られるとともに、植物の生育に対する適度な保水性と排水性が付与されている。
【００２７】
以上のように、植生浮島内に、植栽基盤が充填されると、次に、４枚の金網２５ａ、２５ｂ、２５ｃ、２５ｄを、図６のＡ、Ｂ、Ｃ、Ｄの矢印の方向に折りたたみ、熱融着培土３３を覆うようにする。熱融着培土３３上には、複数枚の金網２５が重ねられることなり、動物の頭の部分が、植栽基盤に入らないようにブロックする効果が、一枚の金網に覆われている場合に比べて、より高まる。
【００２８】
本発明に係る植生浮島においては、金網２５によって、熱融着培土３３の上を覆うことにより、ネズミやヌートリアなどの害獣の侵入を防ぐとともに金網に植物の根を絡ませたり、根系部分を押さえることで抜け落ちを防いだりすることができる。また、植物は十分に金網２５の中に根を張ることができ、浮島の初期の目的を阻害するものではない。金網２５の網目の長さは、１０ｍｍ以下であればよく、材質は腐食を防ぐためにステンレスを用いることが望ましい。
【００２９】
以上のように、熱融着培土３３の上に金網２５が折りたたまれると、図８に示すように、金網２５の上には、ヤシマットのような押さえマット４０を載置する。さらに、４枚の表層ネット２０ａ、２０ｂ、２０ｃ、２０ｄを、図８のＡ、Ｂ、Ｃ、Ｄの矢印の方向に折りたたみ、前記の押さえマット４０を覆うようにすると、図９に示す本発明に係る植生浮島５０を得ることができる。図１０は本発明に係る植生浮島５０の断面構造を示している。
【００３０】
植栽基盤の最上部を構成する熱融着培土３３の上に複数枚の金網２５が配され、さらにその上に押さえマット４０が、また押さえマット４０の上には複数枚の表層ネット２０が折りたたまれるように配されることとなる。
【００３１】
このような構造の本発明に係る植生浮島５０は、植栽基盤が金網２５によって覆われているために、ネズミやヌートリアなどの動物の頭の部分が、植栽基盤に入らないようにブロックすることが可能となる。このため、このような本発明に係る植生浮島５０によれば、動物により、植栽基盤が破壊されたり、また、植栽されている植物が食害にあったり、或いは、植栽基盤内に巣などを作られたりすることを防止できる。
【００３２】
また、本発明に係る植生浮島５０は、植栽基盤が金網によって覆われた構造であるために、本発明に係る植生浮島５０によれば、植栽された植物の抜け落ちを抑制することが可能となる。
【００３３】
図１１は本発明の実施形態に係る植生浮島５０に植物を植栽した様子を示す図であり、図１２は本発明の実施形態に係る植生浮島５０に植物を植栽し、河川や湖沼などの水域に浮游状態で設置された状態を示す断面図である。植生浮島５０の植栽基盤に植物を植栽する際には、種から植栽する方法、又は、植栽基盤上の表層ネット２０、押さえマット４０、金網２５を破り植栽する方法のいずれかをとることができる。図１２に示す植生浮島５０においては、不図示の係留手段によって、植生浮島５０が流されないようにする。
【００３４】
金網を施していない植生浮島には、ネズミの侵入による植栽基盤の掘削がみられたが、本発明の実施形態に係る植生浮島５０では、ネズミの頭の部分が金網２５にぶつかり、掘削を断念した跡が観察され、本発明の実施形態に係る植生浮島５０によれば、害獣による掘削に対して有効に機能することが証明された。
【００３５】
また、本発明の実施形態に係る植生浮島５０では、金網２５があることで植物の根が固定され、風、波などで抜けることが抑制される効果も確認できた。
【００３６】
また、本発明の実施形態に係る植生浮島５０では、金網２５があることで植栽基盤上に水鳥などが巣を形成しても、重さで植栽基盤が変形されることなく、形が保たれる。
【００３７】
以上、本発明に係る植生浮島は、植栽基盤が金網によって覆われているために、ネズミやヌートリアなどの動物の頭の部分が、植栽基盤に入らないようにブロックすることが可能となる。このため、このような本発明に係る植生浮島によれば、動物により、植栽基盤が破壊されたり、また、植栽されている植物が食害にあったり、或いは、植栽基盤内に巣などを作られたりすることを防止できる。
【００３８】
また、本発明に係る植生浮島は、植栽基盤が金網によって覆われた構造であるために、本発明に係る植生浮島によれば、植栽された植物の抜け落ちを抑制することが可能である。
【００３９】
次に、本発明の他の実施形態について説明する。先の実施形態に係る植生浮島５０は廃タイヤ１１を利用した構造であったが、本発明に係る植生浮島は、このような構造のものに限らない。図１３は本発明の他の実施形態に係る植生浮島５０を示す図であり、図１３（Ａ）は他の実施形態に係る植生浮島５０の平面図であり、図１３（Ｂ）は他の実施形態に係る植生浮島５０の断面図である。
【００４０】
他の実施形態に係る植生浮島５０においては、植生浮島が水面で浮くために必要な浮力を稼ぐために、図１３に示すような発泡スチロール製の浮体４５が用いられている。この発泡スチロール製浮体４５における中央凹部には、例えば、下から順に、パーライト３１、メサライト３２、熱融着培土３３、金網２５、押さえマット４０、表層ネット２０が積層されてなる。
【００４１】
以上のような他の実施形態に係る植生浮島５０によっても、先の実施形態と同様の効果を享受することができる。
【００４２】
本発明に係る植生浮島に用いる浮体としては、上記のような発泡スチロール製に限らず、木製、コンクリート製のものなども用いることができる。また、植生浮島５０の植生基盤としては、自然土壌、人工土壌などいずれのものも用いることができる。
【符号の説明】
【００４３】
１０・・・枠体
１１・・・廃タイヤ
１４・・・バスケット
１６・・・発泡浮力体
１７・・・発泡浮力体
１９・・・被覆ネット
２０、２０ａ、２０ｂ、２０ｃ、２０ｄ・・・表層ネット
２５、２５ａ、２５ｂ、２５ｃ、２５ｄ・・・金網
３１・・・パーライト
３２・・・メサライト
３３・・・熱融着培土
４０・・・押さえマット
４５・・・発泡スチロール性浮体
５０・・・植生浮島
【図１】
0005936026.tif 000002
【図２】
0005936026.tif 000003
【図３】
0005936026.tif 000004
【図４】
0005936026.tif 000005
【図５】
0005936026.tif 000006
【図６】
0005936026.tif 000007
【図７】
0005936026.tif 000008
【図８】
0005936026.tif 000009
【図９】
0005936026.tif 000010
【図１０】
0005936026.tif 000011
【図１１】
0005936026.tif 000012
【図１２】
0005936026.tif 000013
【図１３】
0005936026.tif 000014